(57)【要約】      （修正有）【課題】携帯端末に接続する充電通信用ケーブルをストラップに有用に適用した携帯端末ストラップを提供する。【解決手段】携帯端末に取り付けることが可能なストラップであって、携帯端末に接続される充電及びまたは通信用端子３１とＵＳＢ端子３２とを備えたケーブル３０における充電及びまたは通信用端子とＵＳＢ端子の少なくとも一方を収容して保護する収容体２０Ａ’、２０Ｂ”と、その収容体、または、充電及びまたは通信用端子とＵＳＢ端子の少なくとも一方の端子の外枠部、または、充電及びまたは通信用端子とＵＳＢ端子とを備えたケーブルに設けられたストラップ１０’とを備える。【選択図】図５
0003188682.tif 000002
【実用新案登録請求の範囲】
【請求項１】
携帯端末に取り付けることが可能なストラップであって、
携帯端末に接続される充電及びまたは通信用端子とＵＳＢ端子とを備えたケーブルにおける充電及びまたは通信用端子とＵＳＢ端子の少なくとも一方を収容して保護する収容体と、
その収容体、または、充電及びまたは通信用端子とＵＳＢ端子の少なくとも一方の端子の外枠部、または、充電及びまたは通信用端子とＵＳＢ端子とを備えたケーブルに設けられたストラップとを備える
ことを特徴とする携帯端末ストラップ。
【請求項２】
ストラップに、携帯端末のイヤフォン端子に接続可能なジャックが設けられた
請求項１に記載の携帯端末ストラップ。
【請求項３】
収容体が、片端部の閉じた略筒状であり、
充電及びまたは通信用端子とＵＳＢ端子とを嵌合させて収容する
請求項１または２に記載の携帯端末ストラップ。
【請求項４】
収容体が、略塊状であり、
充電及びまたは通信用端子とＵＳＢ端子とを差し込ませて収容する
請求項１または２に記載の携帯端末ストラップ。
【請求項５】
収容体が、充電及びまたは通信用端子用収容体とＵＳＢ端子用収容体との２体から成り、
充電及びまたは通信用端子用収容体は、
充電及びまたは通信用端子を嵌合させて収容する片端部の閉じた略筒状であると共に、端部にＵＳＢ端子を備え、
ＵＳＢ端子用収容体は、
ＵＳＢ端子を嵌合させて収容する片端部の閉じた略筒状であると共に、端部にストラップを備える
請求項１または２に記載の携帯端末ストラップ。
【請求項６】
収容体が、充電及びまたは通信用端子用収容体とＵＳＢ端子用収容体との２体から成り、
ＵＳＢ端子用収容体は、
ＵＳＢ端子を嵌合させて収容する片端部の閉じた略筒状であると共に、端部に充電及びまたは通信用端子を備え、
充電及びまたは通信用端子用収容体は、
充電及びまたは通信用端子を嵌合させて収容する片端部の閉じた略筒状であると共に、端部にストラップを備える
請求項１または２に記載の携帯端末ストラップ。
【請求項７】
収容体が、充電及びまたは通信用端子用収容体とＵＳＢ端子用収容体との別体であり、その少なくとも１体を備え、
充電及びまたは通信用端子用収容体は、
充電及びまたは通信用端子を嵌合させて収容する片端部の閉じた略筒状であり、
ＵＳＢ端子用収容体は、
ＵＳＢ端子を嵌合させて収容する片端部の閉じた略筒状であると共に、端部にストラップを備え、
充電及びまたは通信用端子とＵＳＢ端子用収容体の少なくとも一方を収容して保護する
請求項１または２に記載の携帯端末ストラップ。
【請求項８】
収容体が、充電及びまたは通信用端子用収容体とＵＳＢ端子用収容体との別体であり、その少なくとも１体を備え、
ＵＳＢ端子用収容体は、
ＵＳＢ端子を嵌合させて収容する片端部の閉じた略筒状であり、
充電及びまたは通信用端子用収容体は、
充電及びまたは通信用端子とを嵌合させて収容する片端部の閉じた略筒状であると共に、端部にストラップを備え、
充電及びまたは通信用端子とＵＳＢ端子用収容体の少なくとも一方を収容して保護する
請求項１または２に記載の携帯端末ストラップ。
【考案の詳細な説明】
【技術分野】
【０００１】
本考案は、携帯端末に取り付けられるストラップに関する。
【背景技術】
【０００２】
スマートフォンやタブレットなどの携帯端末の普及に伴い、それに接続する充電通信用ケーブルの需要が高まっている。
しかし、充電通信用ケーブルは十分には足りていない。また、電池切れなどの緊急時に、充電通信用ケーブルが手元にないとＰＣ等のＵＳＢ端子から充電できない。
例えば、ｉＰｈｏｎｅ５（登録商標）に付属するライトニングケーブルは、機種に依存するので他機種への使い回しができず、また高価であるので買い足しが容易でない。
【０００３】
他方、携帯端末に取り付けられるストラップも普及している。
従来のストラップは、特許文献１〜４のように、意匠性が重視され、機能性としては、ストラップ本来の把持以外は稀であった。
【先行技術文献】
【特許文献】
【０００４】
【特許文献１】特開２０１２−１６５９７５「携帯端末ストラップ用キャップ保持具及び携帯端末用アクセサリ」
【特許文献２】特開２００９−１７７９９６「ストラップ型携帯端末用充電器」
【特許文献３】実用新案登録第３１４７３００号「ケーブル内蔵ストラップ」
【特許文献４】実用新案登録第３０８９５４９号「クリーナーストラップ」
【考案の概要】
【考案が解決しようとする課題】
【０００５】
そこで、本考案は、携帯端末に接続する充電通信用ケーブルをストラップに有用に適用して提供することを課題とする。
【課題を解決するための手段】
【０００６】
上記課題を達成するため、本考案の携帯端末ストラップは、次の構成を備える。すなわち、携帯端末に取り付けることが可能なストラップであって、携帯端末に接続される充電及びまたは通信用端子とＵＳＢ端子とを備えたケーブルにおける充電及びまたは通信用端子とＵＳＢ端子の少なくとも一方を収容して保護する収容体と、その収容体、または、充電及びまたは通信用端子とＵＳＢ端子の少なくとも一方の端子の外枠部、または、充電及びまたは通信用端子とＵＳＢ端子とを備えたケーブルに設けられたストラップとを備えることを特徴とする。
【０００７】
ここで、ストラップに、携帯端末のイヤフォン端子に接続可能なジャックを設けてもよい。
【０００８】
また、収容体を、片端部の閉じた略筒状とし、充電及びまたは通信用端子とＵＳＢ端子とを嵌合させて収容させてもよい。
【０００９】
また、収容体を、略塊状とし、充電及びまたは通信用端子とＵＳＢ端子とを差し込ませて収容させてもよい。
【００１０】
また、収容体を、充電及びまたは通信用端子用収容体とＵＳＢ端子用収容体との２体で構成し、充電及びまたは通信用端子用収容体は、充電及びまたは通信用端子を嵌合させて収容する片端部の閉じた略筒状であると共に、端部にＵＳＢ端子備え、ＵＳＢ端子用収容体は、ＵＳＢ端子を嵌合させて収容する片端部の閉じた略筒状であると共に、端部にストラップを備えるものとしてもよい。
【００１１】
同様に、収容体を、充電及びまたは通信用端子用収容体とＵＳＢ端子用収容体との２体で構成し、ＵＳＢ端子用収容体は、ＵＳＢ端子を嵌合させて収容する片端部の閉じた略筒状であると共に、端部に充電及びまたは通信用端子を備え、充電及びまたは通信用端子用収容体は、充電及びまたは通信用端子を嵌合させて収容する片端部の閉じた略筒状であると共に、端部にストラップを備えるものとしてもよい。
【００１２】
また、収容体を、充電及びまたは通信用端子用収容体とＵＳＢ端子用収容体との別体であり、その少なくとも１体を備え、充電及びまたは通信用端子用収容体は、充電及びまたは通信用端子を嵌合させて収容する片端部の閉じた略筒状であり、ＵＳＢ端子用収容体は、ＵＳＢ端子を嵌合させて収容する片端部の閉じた略筒状であると共に、端部にストラップを備え、充電及びまたは通信用端子とＵＳＢ端子用収容体の少なくとも一方を収容して保護するものとしてもよい。
【００１３】
同様に、収容体を、充電及びまたは通信用端子用収容体とＵＳＢ端子用収容体との別体であり、その少なくとも１体を備え、ＵＳＢ端子用収容体は、ＵＳＢ端子を嵌合させて収容する片端部の閉じた略筒状であり、充電及びまたは通信用端子用収容体は、充電及びまたは通信用端子とを嵌合させて収容する片端部の閉じた略筒状であると共に、端部にストラップを備え、充電及びまたは通信用端子とＵＳＢ端子用収容体の少なくとも一方を収容して保護するものとしてもよい。
【考案の効果】
【００１４】
本考案によると、充電通信用ケーブルを常時、携帯端末と共に所持できる。
【図面の簡単な説明】
【００１５】
【図１】本考案の実施例の携帯端末ストラップを示す正面説明図
【図２】別実施例の携帯端末ストラップを示す正面説明図
【図３】別実施例の携帯端末ストラップを示す正面説明図
【図４】別実施例の携帯端末ストラップを示す正面説明図
【図５】別実施例の携帯端末ストラップを示す正面説明図
【考案を実施するための最良の形態】
【００１６】
以下に、本考案の実施形態を図面に基づいて説明する。ここでは好適な例を挙げて説明するが、本考案は、前記の特許文献など従来公知の技術を援用して適宜設計変更可能である。
【００１７】
図１は、本考案の実施例の携帯端末ストラップを示す正面説明図である。
ストラップ（１０）は、その一端にイヤフォンジャック（１１）を備える。そのイヤフォンジャック（１１）を携帯端末のイヤフォン端子に接続することによって、携帯端末に取り付けられる。
【００１８】
図示の例では、ストラップ（１０）にイヤフォンジャック（１１）が設けられているが、イヤフォンジャック（１１）の代わりに、カラビナなど従来公知の接続具を設けてもよい。また、ストラップ（１０）を紐状体で構成して、ストラップ（１０）自体に接続具としての機能を付帯させてもよい。
更に、ストラップ（１０）にフック類を付設して、キーホルダーとしても使用可能な構成にしてもよい。
【００１９】
また、図示の例では、ストラップ（１０）は、１本の線状であるが、環状にしてもよいし、螺旋状で伸縮する形態にしてもよいし、複数設置してもよい。
【００２０】
ストラップ（１０）の他端には、収容体（２０）が接続されている。
図示の例では、そのストラップ（１０）の他端には、フック（１２）が備わり、収容体（２０）に突設された孔部（２１）に接続されているが、ストラップ（１０）と収容体（２０）との接続の構成は、従来公知の接続手段が適宜使用できる。
【００２１】
収容体（２０）は、ケーブル（３０）の充電及びまたは通信用端子（３１）とＵＳＢ端子（３２）を収容して保護する部材である。ケーブル（３０）は、ストラップ（１０）を取り付ける携帯端末に接続されるケーブルであって、携帯端末に接続される充電及びまたは通信用端子（３１）とＵＳＢ端子（３２）とを両端部に備える。
なお、ケーブル（３０）の長さは４〜３０ｃｍ程度が好ましい。また、図示の例のケーブル（３０）は線状であるが、螺旋状で伸縮する形態など、ケーブルとしての形態は、フラットケーブルなど任意である。また、充電及びまたは（and/or）通信用端子とは、充電と通信の両用端子、または、充電用のみの端子、または、通信用のみの端子である。
【００２２】
図示の例では、ストラップ（１０）は、収容体（２０）が接続されているが、充電及びまたは通信用端子（３１）とＵＳＢ端子（３２）の少なくとも一方の端子の外枠部に接続してもよい。なお、端子の外枠部とは、把持する部位など、金属接点を覆っている枠体の外面である。ストラップ（１０）の接続様態は、充電及びまたは通信用端子（３１）とＵＳＢ端子（３２）の少なくとも一方の端子の外枠部に、孔などを設けて、ストラップ（１０）を通すなど、従来公知の接続手段が適宜利用できる。
【００２３】
更に、ストラップ（１０）は、ケーブル（３０）に接続してもよい。その接続様態は、ケーブル（３０）に、孔の空いた突起を付設してストラップ（１０）を通したり、単にケーブル（３０）に絡めてもよいし、従来公知の接続手段が適宜利用できる。
なお、ストラップ（１０）は、着脱自在でもよい。
【００２４】
図示の例の収容体（２０）は、片端部の閉じた略筒状であり、略円形に開口した他端部から、充電及びまたは通信用端子（３１）とＵＳＢ端子（３２）とが挿入される。
充電及びまたは通信用端子（３１）とＵＳＢ端子（３２）とは、並んで収容体（２０）に嵌合される。なお、充電及びまたは通信用端子（３１）とＵＳＢ端子（３２）とは、接合した状態で収容体（２０）に嵌合されてもよいし、収容体（２０）に隔壁を設けて、それぞれ別に嵌合されてもよい。
図示の例では、収容体（２０）の内面に備わる突起（２２）によって、収容体（２０）と充電及びまたは通信用端子（３１）とＵＳＢ端子（３２）とが密着する構成であるが、充電及びまたは通信用端子（３１）とＵＳＢ端子（３２）の側に突起を設けてもよいし、突起に対応する位置に溝を付設してもよいし、嵌合の構成は、従来公知の接続手段が適宜使用できる。
【００２５】
収容体（２０）の材質としては、ＰＶＣなど合成樹脂が好ましい。透明にして、収容された充電及びまたは通信用端子（３１）とＵＳＢ端子（３２）を露わにして、意匠性に寄与させてもよい。
【００２６】
図示の例の収容体（２０）は、略円筒状であるが、充電及びまたは通信用端子（３１）とＵＳＢ端子（３２）とを挿入して収容するために、一端部が開口していればよいので、角柱状や角錐状などでもよい。
【００２７】
図２は、別実施例の携帯端末ストラップを示す正面説明図である。
本実施例の収容体（２０’）は、略塊状であり、充電及びまたは通信用端子（３１）とＵＳＢ端子（３２）とを差し込ませて収容する点が、上記実施例と異なる。すなわち、収容体（２０’）には、充電及びまたは通信用端子（３１）とＵＳＢ端子（３２）とがそれぞれ接続される形状の穴が備わっている。
図示の例の収容体（２０’）は、直方体状であるが、球状や三角錐状など塊状であれば任意である。また、充電及びまたは通信用端子（３１）とＵＳＢ端子（３２）とがそれぞれ接続される位置は、同じ面に並んで接続されるなど任意である。
【００２８】
図３も、別実施例の携帯端末ストラップを示す正面説明図である。
本実施例の収容体は、充電及びまたは通信用端子用収容体（２０Ａ）とＵＳＢ端子用収容体（２０Ｂ）との２体から成る。
充電及びまたは通信用端子用収容体（２０Ａ）は、充電及びまたは通信用端子（３１）を嵌合させて収容する片端部の閉じた略筒状であると共に、端部にＵＳＢ端子（３２）を備える。そして、ＵＳＢ端子用収容体（２０Ｂ）は、ＵＳＢ端子（３２）を嵌合させて収容する片端部の閉じた略筒状であると共に、端部にストラップ（１０）が接続される。
本実施例によると、収容体（２０Ａ）（２０Ｂ）を薄く構成できる。なお、形状については、前記実施例と同様に可変である。
【００２９】
上記実施例と同様であるが、充電及びまたは通信用端子用収容体（２０Ａ）とＵＳＢ端子用収容体（２０Ｂ）との機能を逆にしてもよい。
すなわち、ＵＳＢ端子用収容体（２０Ａ）は、ＵＳＢ端子（３２）を嵌合させて収容する片端部の閉じた略筒状であると共に、端部に充電及びまたは通信用端子（３１）を設け、充電及びまたは通信用端子用収容体（２０Ｂ）は、充電及びまたは通信用端子（３１）を嵌合させて収容する片端部の閉じた略筒状であると共に、端部にストラップ（１０）を接続してもよい。
【００３０】
図４も、別実施例の携帯端末ストラップを示す正面説明図である。
本実施例の収容体も、充電及びまたは通信用端子用収容体（２０Ａ’）とＵＳＢ端子用収容体（２０Ｂ’）との２体から成る。
充電及びまたは通信用端子用収容体（２０Ａ’）は、充電及びまたは通信用端子（３１）を嵌合させて収容する片端部の閉じた略筒状である。そして、ＵＳＢ端子用収容体（２０Ｂ’）は、ＵＳＢ端子を嵌合させて収容する片端部の閉じた略筒状であると共に、端部にストラップ（１０）が接続される。
【００３１】
上記実施例と同様であるが、充電及びまたは通信用端子用収容体（２０Ａ’）とＵＳＢ端子用収容体（２０Ｂ’）との機能を逆にしてもよい。
すなわち、ＵＳＢ端子用収容体（２０Ｂ’）は、ＵＳＢ端子（３２）を嵌合させて収容する片端部の閉じた略筒状であり、充電及びまたは通信用端子用収容体（２０Ａ’）は、充電及びまたは通信用端子（３１）とを嵌合させて収容する片端部の閉じた略筒状であると共に、端部にストラップを接続してもよい。
なお、図示の例では、充電及びまたは通信用端子用収容体（２０Ａ’）とＵＳＢ端子用収容体（２０Ｂ’）の両方が設置されているが、例えばＵＳＢ端子用収容体（２０Ｂ’）など一方のみを設置してもよい。
【００３２】
図５も、別実施例の携帯端末ストラップを示す正面説明図である。
本実施例の一方の収容体（２０Ｂ”）には、環状のストラップ（１０’）が設けられている点が、上記実施例と異なる。なお、環状のストラップ（１０’）は、充電及びまたは通信用端子（３１）用の収容体に設置してもよいし、それらの両方に設置してもよい。
【産業上の利用可能性】
【００３３】
本考案によると、充電通信用ケーブルを常に携帯端末と共に所持でき便利なため、携帯端末の普及にもつながり、産業上利用価値が高い。
【符号の説明】
【００３４】
１０、１０’  ストラップ
１１  イヤフォンジャック
１２  フック
２０、２０’  収容体
２０Ａ、２０Ａ’  充電及びまたは通信用端子用収容体
２０Ｂ、２０Ｂ’、２０Ｂ”  ＵＳＢ端子用収容体
２１、２１’  孔部
２２  突起
３０  ケーブル
３１  充電及びまたは通信用端子
３２  ＵＳＢ端子
【図１】
0003188682.tif 000003
【図２】
0003188682.tif 000004
【図３】
0003188682.tif 000005
【図４】
0003188682.tif 000006
【図５】
0003188682.tif 000007